(57)【要約】【課題】熱を発生する設備機器類を設置した場合においても、優れた外気への熱放散性を得ることができ、しかも窓用の開口幅を広く設定して展望を最大限確保することができるとともに、ひいてはバルコニーを無くすことも可能になる設備設置スペースを備えた建物を提供する。【解決手段】建物の外周柱１の外側に、さらに外方に向けて延在する複数の壁部材４を間隔をおいて設置し、これら壁部材４の先端部間を外部と通気可能な遮蔽部材５によって覆うことにより、外周柱１、壁部材４および遮蔽部材５によって囲まれた設備設置スペース６を形成するとともに、建物の床材１１を壁部材４に沿って外周柱１のさらに外側まで形成し、かつ床材１１の先端部に外被材１２を配置することにより、壁部材４の少なくとも一部を建物内３に位置させたことを特徴とする。【選択図】図１
2008156962.tif 000002
【特許請求の範囲】
【請求項１】
建物の外周柱の外側に、さらに外側に向けて延在する複数の壁部材を間隔をおいて対向配置し、これら壁部材の先端部間を外部と通気可能な遮蔽部材によって覆うことにより、上記外周柱、壁部材および遮蔽部材によって囲まれた設備設置スペースを形成するとともに、上記建物の床材を上記壁部材に沿って上記外周柱のさらに外側まで形成し、かつ上記床材の先端部に外被材を配置することにより、上記壁部材の少なくとも一部を上記外被材よりも上記建物の内側に位置させたことを特徴とする設備設置スペースを備えた建物。
【請求項２】
建物の内部空間を仕切る壁の外側端部に、当該壁と直交する方向に第１の壁部材を設け、この第１の壁部材に、さらに外側に向けて延在する複数の第２の壁部材を間隔をおいて対向配置し、これら第２の壁部材の先端部間を外部と通気性可能な遮蔽部材によって覆うことにより、上記第１および第２の壁部材並びに上記遮蔽部材によって囲まれた設備設置スペースを形成し、かつ上記建物の床材を上記第２の壁部材に沿って上記壁の外側端部のさらに外側まで形成し、上記床材の先端部に外被材を配置することにより、上記第２の壁部材の少なくとも一部を上記外被材よりも上記建物の内側に位置させたことを特徴とする設備設置スペースを備えた建物。
【請求項３】
上記壁部材または上記第２の壁部材には、建物内から上記設備設置スペース内へ出入り可能な開閉部が設けられていることを特徴とする請求項１または２に記載の設備設置スペースを備えた建物。
【請求項４】
上記建物は、複数の階を有し、かつ上記設備設置スペースは、上下階に連続するボイドスペース状に形成されるとともに、当該設備設置スペースの各階の境界部に、上下階方向に通気性を付与された床材が設置されていることを特徴とする請求項１ないし３のいずれかに記載の設備設置スペースを備えた建物。
【請求項５】
上記設備設置スペースは、各階に水平方向に間隔をおいて複数設けられ、かつ隣接する上記設備設置スペースの上記壁部材の先端部間に、上記遮蔽部材と連続するように上記外被材が設けられていることを特徴とする請求項１ないし４のいずれかに記載の設備設置スペースを備えた建物。
【請求項６】
上記設備設置スペースに、熱を発生する設備機器類を設置したことを特徴とする請求項１ないし５のいずれかに記載の設備設置スペースを備えた建物。
【請求項７】
上記遮蔽部材の外側に、外気を案内して上記設備設置スペース内に流入させる外気取り込み翼を設けたことを特徴とする請求項１ないし６のいずれかに記載の設備設置スペースを備えた建物。
【発明の詳細な説明】
【技術分野】
【０００１】
本発明は、特に高層の集合住宅等に適用して好適な空調室外機や給湯器あるいは暖房機器等の設備を設置するためのスペースを備えた建物に関するものである。
【背景技術】
【０００２】
一般に、集合住宅や事務所ビル等の建物においては、居住者のための空調や給湯等を行うための各種設備機器類を設置するためのスペースを確保する必要があり、特に上記設備機器類のうち、空調用室外機や給湯器等にあっては、使用時に発生する熱を外気に放散させるため、バルコニーや居室外通路等の居住空間に隣接した屋外に設置されている。
このため、上記バルコニーや通路における通行を妨げるという問題点があった。
【０００３】
そこで、例えば下記特許文献１においては、建物外壁の外側に張り出すようにして設けた支持部材と、この支持部材に取り付けたグレーチング材からなる床部材と、この床部材周りに立設した壁部材とを備え、床部材および壁部材に複数の通気用開口を設けるとともに、建物外壁、床部材および壁部材によって囲まれた空間に、室外機を設置するようにした建物の空調用室外機置場が提案されている。
【０００４】
ところが、上記空調用室外機置場にあっては、上記空調用室外機の保守点検を行う場合には、上記外壁に設けた窓から上記空調用室外機置場に出入りするようになっているために、高層住宅に適用した場合には、安全性の観点から好ましくなく、しかも外観上、建物の意匠性に劣るという問題点があった。
【０００５】
一方、下記特許文献２においては、ラーメン架構を基本として所要のフレームの各スパンにハ字状または逆ハ字状をなすブレースを設けた建物において、柱の側面に隣接して上記ブレースを収納する収納壁部を設け、この収納壁部の内部空間に設備機器類を設置するとともに、上記収納壁部に室内側から出入りが可能な出入口を設けた建物が開示されている。
【０００６】
上記従来の建物によれば、上記出入口を利用することにより、室内側から安全に収納壁部内に設置した設備機器類の保守点検を行うことができ、しかも上記設備機器類が収納壁部の外壁によって被われているために、意匠性にも優れるという利点がある。
【０００７】
しかしながら、上記建物にあっては、上述した給湯器や空調用室外機等の熱を発生する設備機器類を設置した場合に、外壁に設けられているルーバ等の通風口のみによって外気との熱交換を行うようにしているために、十分な熱の放散性を確保することが難しいという問題点があった。
加えて、柱から外壁に沿った一定の範囲内が上記収納壁部によって覆われてしまうために、窓を広く形成して展望を確保することができないという問題点があった。
【特許文献１】特開２００５−２１３８７１号公報
【特許文献２】特開２００１−１９３３０７号公報
【発明の開示】
【発明が解決しようとする課題】
【０００８】
本発明は、かかる事情に鑑みてなされたもので、熱を発生する設備機器類を設置した場合においても、優れた外気への熱放散性を得ることができ、しかも窓用の開口幅を広く設定して展望を最大限確保することができるとともに、ひいてはバルコニーを無くすことも可能になる設備設置スペースを備えた建物を提供することを課題とするものである。
【課題を解決するための手段】
【０００９】
上記課題を解決するために、請求項１に記載の設備設置スペースを備えた建物は、建物の外周柱の外側に、さらに外側に向けて延在する複数の壁部材を間隔をおいて対向配置し、これら壁部材の先端部間を外部と通気可能な遮蔽部材によって覆うことにより、上記外周柱、壁部材および遮蔽部材によって囲まれた設備設置スペースを形成するとともに、上記建物の床材を上記壁部材に沿って上記外周柱のさらに外側まで形成し、かつ上記床材の先端部に外被材を配置することにより、上記壁部材の少なくとも一部を上記外被材よりも上記建物の内側に位置させたことを特徴とするものである。
【００１０】
他方、請求項２に記載の設備設置スペースを備えた建物は、建物の内部空間を仕切る壁の外側端部に、当該壁と直交する方向に第１の壁部材を設け、この第１の壁部材に、さらに外側に向けて延在する複数の第２の壁部材を間隔をおいて対向配置し、これら第２の壁部材の先端部間を外部と通気性可能な遮蔽部材によって覆うことにより、上記第１および第２の壁部材並びに上記遮蔽部材によって囲まれた設備設置スペースを形成し、かつ上記建物の床材を上記第２の壁部材に沿って上記壁の外側端部のさらに外側まで形成し、上記床材の先端部に外被材を配置することにより、上記第２の壁部材の少なくとも一部を上記外被材よりも上記建物の内側に位置させたことを特徴とするものである。
【００１１】
ここで、外被材とは、壁材や窓を構成するガラス板である。
また、請求項３に記載の発明は、請求項１または２に記載の発明において、上記壁部材または上記第２の壁部材には、建物内から上記設備設置スペース内へ出入り可能な開閉部が設けられていることを特徴とするものである。
【００１２】
さらに、請求項４に記載の発明は、請求項１〜３のいずれかに記載の発明において、上記建物が、複数の階を有し、かつ上記設備設置スペースが、上下階に連続するボイドスペース状に形成されるとともに、当該設備設置スペースの各階の境界部に、上下階方向に通気性を付与された床材が設置されていることを特徴とするものである。
【００１３】
また、請求項５に記載の発明は、請求項１〜４のいずれかに記載の発明において、上記設備設置スペースが、各階に水平方向に間隔をおいて複数設けられ、かつ隣接する上記設備設置スペースの上記壁部材の先端部間に、上記遮蔽部材と連続するように上記外被材が設けられていることを特徴とするものである。
【００１４】
また、請求項６に記載の発明は、請求項１〜５のいずれかに記載の発明において、上記設備設置スペースに、熱を発生する設備機器類を設置したことを特徴とするものである。ここで、熱を発生する設備機器類としては、例えば給湯器、湯沸かし器、空調用室外機、発電用の燃料電池等を挙げることができる。
【００１５】
また、請求項７に記載の発明は、請求項１〜６のいずれかに記載の発明において、上記遮蔽部材の外側に、外気を案内して上記設備設置スペース内に流入させる外気取り込み翼を設けたことを特徴とするものである。
【発明の効果】
【００１６】
請求項１〜７のいずれかに記載の設備設置スペースを備えた建物においては、設備設置スペースが、建物の外周柱の外側または建物の内部空間を仕切る壁の外側端部と、さらに外方に向けて延在する一対の壁部材または第２の壁部材との間に形成されているために、窓用の開口幅を広く設定して、展望を最大限確保することができる。しかも、上記設備機器類を設置する用途としてのバルコニーは不要となるために、窓際から下方への視界を妨げるものを無くして、より一層広い展望を得ることが可能になる。
【００１７】
また、上記設備設置スペースは、室内とは独立して形成されているとともに、外周面側が外気と通気可能な遮蔽部材によって覆われているために、請求項６に記載の発明のように熱を発生する設備機器類を設置した場合においても、優れた外気への熱放散性を得ることができる。
【００１８】
なお、上記外側柱の幅寸法が小さく、この結果設備設置スペースに十分な幅寸法が確保できない場合には、上記外周柱の外側の両側面に幅調整用壁部を設け、当該幅調整用壁部の端部に、さらに外方に向けて延在する一対の壁部材を間隔をおいて設置するようにすれば、上記設備機器類を設置するために十分な幅寸法を確保することができる。
【００１９】
さらに、請求項３に記載の発明によれば、上記壁部材または第２の壁部材の少なくとも一部が上記建物内に位置しているために、当該壁部材または第２の壁部材に、建物内から上記設備設置スペース内へ出入り可能な開閉部を設けることにより、室内から極めて容易に設備機器類の保守点検を行うことができる。このため、特に建物が高層や超高層になった場合には、安全性にも優れる。
【００２０】
また、請求項４に記載の発明のように、上記建物が複数の階を有する場合に、上記設備設置スペースを上下階に連続するボイドスペース状に形成するとともに、設備設置スペースの各階の境界部に上下階方向に通気性を付与された床材を設置すれば、上記遮蔽部材が外気との通気性を有することと相俟って、設備機器類から生じる熱を、下方から上方に向けて生じるドラフトによって、円滑かつ確実に放散させることができる。
【００２１】
なお、上記建物が高層や超高層である場合等には、上記設備設置スペース内に、当該設備設置スペース内の空気を流動させるファンを設置することにより、上記熱の放散性を高めるようにしてもよい。さらに、請求項７に記載の発明にように、上記遮蔽部材の外側に、外気を案内して上記設備設置スペース内に流入させる外気取り込み翼を設ければ、一層設備設置スペース内の空気の流入および流出を促進させて、熱放散性を高めることができる。
【００２２】
さらに、上記設備設置スペースの外周側は、遮蔽部材によって覆われているために、高層であっても設備設置スペース内の人が高所恐怖を感じる虞がなく、よって上下方向に連続する当該設備設置スペースを、緊急時の避難路として活用することもできる。
【００２３】
なお、一般に集合住宅等においては、同一階に複数の居住空間が設けられており、この結果請求項５に記載の発明のように、上記設備設置スペースが、各階に水平方向に間隔をおいて複数設けられることになる。そこで、隣接する上記設備設置スペースの上記壁部材の先端部間に、上記遮蔽部材と連続するように外被材を設ければ、建物の外周が連続した面によって形成されることにより、意匠性を高めることができる。
【発明を実施するための最良の形態】
【００２４】
（第１の実施形態）
図１〜図３は、本発明に係る設備設置スペースを備えた建物を高層の集合住宅に適用した第１の実施形態における要部を示すものであり、さらに図４〜図７は、その変形例を示すものである。
これらの図において、符号１は、この建物の外周に沿って所定のスパンで立設された鉄筋コンクリート造の外周柱である。なお、この建物においては、隣接する２本または複数本の外周柱１間が、壁２によって一戸の住居空間３に仕切られている。
【００２５】
そして、隣接する居住空間３間に位置する外周柱１の外側１ａの両側面に幅調整用壁部材１０ａが設けられ、これら幅調整用壁部材１０ａの端部に、さらに外方側に向けて互いに平行に延在する一対の壁部材４が、所定間隔をおいて設置されている。これら壁部材４は、例えばＡＬＣ板等の板材からなるものであり、居住空間３の少なくとも床面から天井面に至る部分を覆うように取り付けられている。
【００２６】
また、これら壁部材４の先端部間は、ルーバー（遮蔽部材）５によって覆われている。
これにより、外周柱１の外周面１ａ、壁部材４およびルーバー５によって囲まれた設備設置スペース６が形成されている。ここで、設備設置スペース６は、建物の複数階において上下階に連続するボイドスペース状に形成されており、当該設備設置スペース６の各階の境界部には、グレーチングやパンチングメタル等からなる通気性を備えた床材７が設けられている。
【００２７】
また、ルーバー５は、両側に設けられた支持枠５ａ間に、多数本の横杆５ｂが上下方向に僅かの間隔をおいて互いに平行に横架されたものである。この結果、設備設置スペース６は、上下の横杆５ｂの間隙を通して外気の流出入が可能になっているとともに、床材７を通じて上下階方向にも空気が流通可能になっている。
【００２８】
そして、この設備設置スペース６内に、例えばガス湯沸かし器８やマルチエアコン屋外機９等の、使用に際して熱を発生する設備機器類が設置されている。
さらに、設備設置スペース６を画成する一方の壁部材４には、居住空間３から設備設置スペース６内への出入りを可能とする開口が形成されるとともに、この開口に扉（開閉部）１０が開閉自在に設けられている。
【００２９】
また、居室空間３においては、床スラブ（床材）１１が壁２間から壁部材４の外周側先端レベルまで打設されている。そして、隣接する設備設置スペース６の壁部材４間に、全面にわたってカーテンウオール状に取り付けられガラス板（外被材）１２による窓が設けられている。この結果、ガラス板１２は、ルーバー５と共に連続する建物の外周面を形成するように設けられている。
【００３０】
なお、図中符号１４は、上下階間の梁１３から外方に延出する床スラブの外周面に固定されて、表面に上記ガラス板１２と連続するガラス板１５が取り付けられたテラコッタ板付きＰＣ板である。また、符号１６は、方立部に設けられた外気を自然換気として採り入れ可能な換気装置である。
そして、この建物においては、バルコニーが設けられていない構造になっている。
【００３１】
また、図４は、本実施形態の第１の変形例を示すもので、室内に配置されている外周柱１に設備設置スペース６を設けた場合を示すものである。
そして、この建物においては、上記設備設置スペース６に隣接した居住空間３の窓側に、浴槽２０を備えた浴室２１が配置されるとともに、設備設置スペース６に隣接した内方に、トイレ２２および洗面所２３が配置されている。また、浴室２１内の空気を換気するための排気用ダクト２４が壁部材４を貫通して設備設置スペース６内を通され、ルーバー５に開口するように配管されている。なお、その他の構造については、図１〜図３に示したものと同一であるために、同一符号を付してその説明を簡略化する。
【００３２】
さらに、図５は、本実施形態の第２の変形例を示すものであり、この建物においては、床１１が、設備設置スペース６を覆うルーバー５よりもさらに外側まで延出され、この床１１の先端部にガラス板１２が配設されている。これにより、設備設置スペース６は、隣接する居住空間３間において、当該居住空間３の外側を画成する板ガラス１２よりも建物の内側に位置するように配置されている。
【００３３】
また、図６は、本実施形態の第３の変形例を示すものであり、この建物においては、床１１が、壁部材４の外周側の端部よりも建物の内側となる位置まで延出されるとともに、その先端部に板ガラス１２が配設されており、この結果設備設置スペース６は、隣接する居住空間３の外周を画成する板ガラス１２よりも建物の外側に突出するように配置されている。
【００３４】
他方、図７は、本実施形態の第４の変形例を示すものであり、この建物は、隣接する居住空間３間に、双方の居住空間３のための設備設置スペース６を配置したものである。
すなわち、隣接する居住空間３間に位置する外周柱１の外側１ａの両側面に、図１に示したものよりも長さ寸法の大きい幅調整用壁部材１０ａが設けられ、これら幅調整用壁部材１０ａの端部に、さらに外側に向けて互いに平行に延在する一対の壁部材４が、所定間隔をおいて設置されている。
【００３５】
加えて、外周柱１の外側１ａの中央には、一対の壁部材４の中間に位置するとともに、これらと平行に外側に延出する壁部材４が設置されている。これにより、この建物においては、外周柱１の外側１ａから外側に延出する中央の壁部材４を境にして、隣接する双方の居住空間３用の設備設置スペース６が互いに隣接して形成されている。
【００３６】
以上の構成からなる設備設置スペースを備えた建物によれば、設備設置スペース６が、建物の外周柱１の外側から外方に向けて延在する一対の壁部材４間に形成されているために、窓の開口幅を広く設定して展望を最大限確保することができ、さらに上記建物においては、全面にわたってカーテンウオール状に取り付けられたガラス板１２によって、上記壁部材４間に全面窓を形成しているために、室内から極めて広大な展望を得ることができる。しかも、設備機器類を設置する用途としてのバルコニーは不要となるために、当該バルコニーを設けない構成とすることにより、窓際から下方への視界を妨げるものを無くして、よって一層広い展望を得ることができる。
【００３７】
加えて、設備設置スペース６は、居住空間３とは独立して形成されているとともに、外周面側が外気と通気可能なルーバー５によって覆われているために、ガス湯沸かし器８やマルチエアコン屋外機９等の熱を発生する設備機器類を設置することにより、優れた外気への熱放散性を確保することができる。しかも、設備設置スペース６を上下階に連続するボイドスペース状に形成するとともに、設備設置スペース６の各階の境界部に、グレーチング等の上下階方向に通気性を備えた床材７を設置しているために、ルーバー５が外気との通気性を有することと相俟って、設備機器類８、９８等から生じる熱を、下方から上方に向けて生じるドラフトによって、円滑かつ確実に放散させることができる。
【００３８】
さらに、壁部材４に、居住空間３側から設備設置スペース６内へ出入り可能な扉１０を設けているために、居住空間３から極めて容易に設備機器類８、９等の保守点検を行うことができ、よって特に建物が超高層になった場合においても、安全性に優れる。
また、設備設置スペース６の外周側は、ルーバー５によって覆われることにより、視界が遮られているために、高層や超高層であっても設備設置スペース６内の人が高所恐怖を感じる虞がなく、よって上下方向に連続する設備設置スペース６に別途階段等を設けることにより、緊急時の避難路としても活用することが可能になる。
【００３９】
さらに、図４に示した建物のように、設備設置スペース６に隣接して浴室２１、トイレ２２あるいは洗面所２３等を配置すれば、設備設置スペース６内に設置したガス湯沸かし器８等からの水回りの配管が容易になるとともに、窓側に設置した浴室２１からもガラス板１２を通して広い展望を得ることが可能になるといった効果を奏する。
【００４０】
また、この場合には、浴室２１からの排気用ダクト２４を設備設置スペース６内を通してルーバー５に開口させることができ、短い配管によって上記浴室２１の換気を行うことが可能になる。なお、設備設置スペース６に隣接してキッチン等の厨房を配置した場合にも、同様に上記厨房からの排気用ダクトを、設備設置スペース６を通すことにより、短い配管によって当該厨房内の空気を外部に排気させることができる。
【００４１】
（第２の実施形態）
図８および図９は、本発明の第２の実施形態を示すものであり、同様に図１〜図７に示したものと同一構成部分については、同一符号を付してある。
この建物においては、外周柱１が配置されていない箇所において、居住空間３を仕切る壁３０が設けられており、この壁３０の外周端部に、これと直交する方向に所定の幅寸法を有する第１の壁部材３１が設けられている。
【００４２】
そして、この第１の壁部材３１の両端部に、当該第１の壁部材３１と直交してさらに外方に向けて互いに平行に延在する一対の第２の壁部材３２が、所定間隔をおいて設けられている。ここで、第１および第２の壁部材３１、３２も、上記壁部材４と同様に、例えばＡＬＣ板等の板材からなるものであり、居住空間３の少なくとも床面から天井面に至る部分を覆うように取り付けられている。
【００４３】
さらに、この建物においては、設備設置スペース６の外面を覆うルーバー５に、垂直フィレ（外気取り込み翼）３３および水平フィレ（外気取り込み翼）３４が増設されている。ここで、水平フィレ３４は、横杆５ｂと同様に支持枠５ａ杆に水平に設けられた板状部材で、その板厚が建物の外方に向けて漸次増加する断面形状に形成されている。
また、これら水平フィレ３４は、上下方向に設けられた横杆５ｂのうち、５スパン毎に位置する横杆５ｂに替えて配置されている。
【００４４】
他方、垂直フィレ３３は、水平フィレ３４の幅方向の中央部に上下方向に向けて設けられた板状部材であり、同様に板厚が建物の外方に向けて漸次増加する断面形状に形成されている。
そして、これら垂直フィレ３３および水平フィレ３４は、いずれもガラス板１２の表面よりも建物の外方に突出するようにして設けられている。
【００４５】
以上の構成からなる第２の実施形態に示した設備設置スペースを備えた建物によっても、第１の実施形態に示したものと同様の作用効果を得ることができる。
加えて、本実施形態の建物によれば、設備設置スペース６の開口を覆うルーバー５に、さらにガラス板１２の表面から突出する垂直フィレ３３および水平フィレ３４を設けているので、建物の外面に沿って流れる外気が、これら垂直フィレ３３および水平フィレ３４によって案内されて設備設置スペース６内に流入する。このため、一層設備設置スペース６内に設置されたガス湯沸かし器８やマルチエアコン屋外機９等の設備機器類から発生した熱を、早期に、かつ円滑に設備設置スペース６の外へと排出させることができる。
【００４６】
この際に、上記建物が高層や超高層である場合等には、さらに設備設置スペース６内に、ファン３５を各階毎、あるいは複数回毎に設置することにより、自然換気に加えて上記ファン３５による強制的な換気を行って、一層熱の放散性を高めるようにすることもできる。
【００４７】
なお、第１の実施形態においては、設備設置スペース６の開口部を、上記垂直フィレ３３および水平フィレ３４を設けないルーバー５によって覆った場合についてのみ説明したが、これに限るものではなく、例えば図１０に示すように、当該垂直フィレ３３および水平フィレ３４を設ければ、第２の実施形態に示したものと同様の作用効果を得ることができ、さらに同図に示すように、上下の水平フィレ３４間に、各々２組の垂直フィレ３３を設けるようにすることもできる。
【００４８】
このように、２組の垂直フィレ３３を設ければ、建物に沿う外気の流れを設備設置スペース６内に案内することができることに加えて、建物に向かって流れる外気についても、積極的に設備設置スペース６内へと流入させることができる。
【００４９】
また、第１および第２の実施形態並びにその変形例においては、いずれも居住空間３の外周側の全面をガラス板１２の窓によって構成した場合について示したが、これに限定されるものではなく、例えば上下部に外壁材を設けて、これらの中間部にガラス板による幅広の窓を形成するなど、様々な外被材の組合せや配置等によって構成することができる。
さらに、設備設置スペース６を覆う部材についても、上述したルーバー５に限らず、各種の通気性を有する遮蔽部材が適用可能である。
【００５０】
加えて、設備設置スペース６に設置する設備機器類についても、上述したガス湯沸かし器８やマルチエアコン屋外機９に加えて、他の設備機器類や、さらには空調ダクトやルーフドレン管等も設置可能である。この際に、設備設置スペース６の容量も適宜設定可能であるが、窓の開口幅を狭めることなく、その面積を増加させるために、壁部材４間または第２の壁部材３２間の幅寸法を極力小さく設定して、これら壁部材４または第２の壁部材３２が外周柱１または壁３０から外方に延出する長さ寸法を大きく設定することが好ましい。
【図面の簡単な説明】
【００５１】
【図１】本発明の第１の実施形態を示す平断面図である。
【図２】図１の正面図である。
【図３】図１の設備設置スペースが形成された部分の縦断面図である。
【図４】第１の実施形態の第１の変形例を示す要部の平断面図である。
【図５】第１の実施形態の第２の変形例を示す平断面図である。
【図６】第１の実施形態の第３の変形例を示す平断面図である。
【図７】第１の実施形態の第４の変形例を示す要部の平断面図である。
【図８】本発明の第２の実施形態を示す要部の平断面図である。
【図９】図５の縦断面図である。
【図１０】第２の実施形態の変形例を示す要部の平断面図である。
【符号の説明】
【００５２】
１  外周柱
３  居住空間
４  壁部材
５  ルーバー（遮蔽部材）
６  設備設置スペース
７  床材
８  ガス湯沸かし器（設備機器）
９  マルチエアコン屋外機（設備機器）
１０  扉（開閉部）
１１  床スラブ（床材）
１２  ガラス板（外被材）
３０  壁
３１  第１の壁部材
３２  第２の壁部材
３３  垂直フィレ（外気取り込み翼）
３４  水平フィレ（外気取り込み翼）
【図１】
2008156962.tif 000003
【図２】
2008156962.tif 000004
【図３】
2008156962.tif 000005
【図４】
2008156962.tif 000006
【図５】
2008156962.tif 000007
【図６】
2008156962.tif 000008
【図７】
2008156962.tif 000009
【図８】
2008156962.tif 000010
【図９】
2008156962.tif 000011
【図１０】
2008156962.tif 000012